(57)【要約】【課題】１個又は少数のＬＥＤを使用し、視認性の高い回転警告灯を提供する。【解決手段】回転警告灯１内には、警告光の照射方向と直交の方向に向けられたＬＥＤ７と、そのＬＥＤ７からの光を前方に反射させる反射鏡５が回動中心軸線８の周りを回転可能に支持されている。反射鏡５はＬＥＤ７から主に前方に向かう光を扱う第１反射鏡５１と、主に後方に向かう光を扱う第２反射鏡５２より構成される。この反射構造を採用することで、点光源を看者に大きく見せることができ、視認性の向上に貢献できる。【選択図】        図６
2007294271.tif 000002
【特許請求の範囲】
【請求項１】
所定の回動軸線上で回動軸線上方に向けて設けられるＬＥＤと、開口方向が同一で内面を回転放物面とし、その焦点位置にＬＥＤを設けた第一の反射部材及び第二の反射部材と、第一の反射部材及び第二の反射部材を回動中心軸線の周りに回動可能に支持し、駆動力を与える駆動手段を備えた、光信号を所定の回動軸線の周りに変遷させながら光信号を周囲に照射する回転警告灯であって、上記第一の反射部材は、焦点部に設けられたＬＥＤから見て開口部側に設けられると共に、上記第二の反射部材は、第一の反射部材を内包するように、ＬＥＤから見て開口部反対側に設けたことを特徴とする回転警告灯。
【請求項２】
第一の反射部材及び第二の反射部材は、上記ＬＥＤの有効照射範囲を覆っていることを特徴とする請求項１に記載の回転警告灯。
【請求項３】
第一の反射部材及び第二の反射部材の長軸は互いに同一であることを特徴とする請求項１乃至２に記載の回転警告灯。
【請求項４】
第一の反射部材上において、ＬＥＤの有効照射範囲の境界線の最高位置点は、第二の反射部材とＬＥＤの有効照射範囲の境界線の最高位置点より低い位置にあることを特徴とする請求項１乃至３に記載の回転警告灯。
【請求項５】
第二の反射部材の回動軸線近傍には、ＬＥＤの放射光を反射する第三の反射部材を有することを特徴とする請求項１、請求項３乃至４に記載の回転警告灯。
【請求項６】
第一の反射部材、第二の反射部材及び第三の反射部材は、上記ＬＥＤの有効照射範囲を覆っていることを特徴とする請求項５に記載の回転警告灯。
【請求項７】
第三の反射部材が回転放物面であって、ＬＥＤが焦点部の一つに設けられていることを特徴とする請求項５乃至６に記載の回転警告灯。
【請求項８】
ＬＥＤの直接照射を受ける第二の反射部材の最上端部は、ＬＥＤからの直接照射を受ける第三の反射部材の最下端部よりも低い位置にあることを特徴とする請求項５乃至７に記載の回転警告灯。
【発明の詳細な説明】
【背景技術】
【０００１】
本発明は、自動機械、ロボット、生産ライン、駐車場、危険な場所などに設置され、例えば材料の不足、ワークづまり、満車、危険などのような各種の状態を回転閃光と警報音により信号報知する回転警告灯に関するものである。
【０００２】
従来の第１の回転警告灯として、例えば、筒状のグローブ内に光源として複数のＬＥＤを上方に向けて配置し、ＬＥＤからの光源光を前方へ反射させる反射面を回動可能に設けたものがある。（例えば、特許文献１参照。）
【０００３】
また、従来の第２の回転警告灯として、焦点位置を同じくする２つの回転放物面で形成された鼓状反射面を持つ反射鏡と、光源からなるものがある。（例えば、特許文献２参照。）
【０００４】
【特許文献１】実公平７−２２００５号公報
【特許文献２】特公平７−７３００２号
【発明の開示】
【発明が解決しようとする課題】
【０００５】
従来の第１の回転警告灯では、反射部材として平面反射鏡を利用しているため、看者に警告光を大きく見せるには複数のＬＥＤを設ける必要があって、充分な視認性を確保するにはＬＥＤを回転警告灯内に平面状に近接して複数個並べる必要があった。つまり、回転警告灯を小型化した場合には、充分な視認性を確保するための複数のＬＥＤを設置するための充分な設置スペースを確保することが困難となっていた。また、上方に向けられたＬＥＤからの光源光が、グローブ上部を通じて回転警告灯の回転放射方向（前方）と異なる方向に透過することによって、回転放射方向（前方）の照射方向が低減していた。
【０００６】
また、従来の第２の回転警告灯の実施例では、双方向に光源光を照射する鼓状の第１反射鏡と第２反射鏡を採用し、反射鏡の回転半径の小型化、つまり回転灯の小型化を図っていた。しかしながら、同発明を所望の一方向に警告灯を照射するための回転放物面反射鏡を採用した場合、外側反射鏡の下端部が、その反射鏡の放物面の長軸上まで延設される為、延設された反射鏡部分で反射された光源光は、内方の反射鏡の背面に照射され、所望方向に警告光を放射することができなかった。
【０００７】
そこで、本発明の目的は、１個または少数のＬＥＤで、視認性の高い回転警告灯を提供することである。
【課題を解決するための手段】
【０００８】
上記の目的を達成するための回転警告灯は、所定の回動軸線上で回動軸線上方に向けて設けられるＬＥＤと、開口方向が同一で内面を回転放物面とし、その焦点位置にＬＥＤを設けた第一の反射部材及び第二の反射部材と、第一の反射部材及び第二の反射部材を回動中心軸線の周りに回動可能に支持し、駆動力を与える駆動手段を備えた、光信号を所定の回動軸線の周りに変遷させながら光信号を周囲に照射する回転警告灯であって、上記第一の反射部材は、焦点部に設けられたＬＥＤから見て開口部側に設けられると共に、上記第二の反射部材は、第一の反射部材を内包するように、ＬＥＤから見て開口部反対側に設けたことを特徴とする。この発明によれば、多数のＬＥＤを使用しなくても、ＬＥＤからの光は回転放物面である第一及び第二の反射部材で反射させることで、その長軸方向に光を大きく照射できるため好ましい。
【０００９】
請求項２に記載の回転警告灯は、第一の反射部材及び第二の反射部材が、上記ＬＥＤの有効照射範囲を覆っていることを特徴とする。この発明によれば、上記ＬＥＤからの有効照射範囲内の放射光を反射部材に効率的に照射できるため、所望方向への警告光の強さを高めることができるため好ましい。
【００１０】
請求項３に記載の回転警告灯は、第一の反射部材及び第二の反射部材の長軸が互いに同一であることを特徴とする。この発明によれば、所望方向の警告光を大きく見せることができるため好ましい。
【００１１】
請求項４に記載の回転警告灯は、第一の反射部材上において、ＬＥＤの有効照射範囲の境界線の最高位置点は、第二の反射部材とＬＥＤの有効照射範囲の境界線の最高位置点より低い位置にあることを特徴とする。この発明によれば、第二の反射部材で反射されたＬＥＤからの放射光を、第一の反射部材に遮られることなく所望方向に放光できるため好ましい。
【００１２】
請求項５に記載の回転警告灯は、第二の反射部材の回動軸線近傍には、ＬＥＤの放射光を反射する第三の反射部材を有することを特徴とする。この発明によれば、光を所望方向へ反射する反射部材に上記ＬＥＤからの有効照射範囲内の放射光を漏れなく照射できるため好ましい。
【００１３】
請求項６に記載の回転警告灯は、第一の反射部材、第二の反射部材及び第三の反射部材は、上記ＬＥＤの有効照射範囲を覆っていることを特徴とする。この発明によれば、光を所望方向へ反射する反射部材に上記ＬＥＤからの有効照射範囲内の放射光を漏れなく照射できるため好ましい。
【００１４】
請求項７に記載の回転警告灯は、第三の反射部材が回転放物面であって、ＬＥＤが焦点部の一つに設けられていることを特徴とする。この発明によれば、第三の反射部材に照射されたＬＥＤからの放射光を所望方向、例えば斜め下方向などに警告光を集光照射できるため、その方向においても警告効果を高めることができるため好ましい。
【００１５】
請求項８に記載の回転警告灯は、ＬＥＤの直接照射を受ける第二の反射部材の最上端部は、ＬＥＤからの直接照射を受ける第三の反射部材の最下端部よりも低い位置にあることを特徴とする。この発明によれば、第二の反射部材で反射されたＬＥＤからの放射光を、第三の反射部材に遮られることなく所望方向に放光できるため好ましい。
【発明を実施するための最良の形態】
【００１６】
以下では、本発明の実施形態を、添付図面を参照して詳細に説明する。本実施形態では、グローブ内に回動中心軸線が一つである回転警告灯について説明するが、回転警告灯は、例えば車両取付型の散光式警光灯などの複数の回転警告ユニットを持つものにも適用することができる。
【００１７】
図１は、本発明の第一の実施例を示す回転警告灯の斜視図である。回転警告灯１は、グローブ２とケース３に囲覆される空間にＬＥＤ７からの光信号を所望方向に反射させる反射部材としての反射鏡５を設け、駆動手段６を用いて反射鏡５を回動中心軸線８の回りに回転することにより、光信号を所望方向に照射する。ここでいう所望方向とは、垂直方向Ｚと直交する方向（前後方向Ｘ及び左右方向Ｙ）である。
【００１８】
図２は、本発明の第一の実施例を示す回転警告灯の右側面図、図３は本発明の第一の実施例を示す回転警告灯の平面図、図４は本発明の第一の実施例を示す正面図、図５は本発明の第一の実施例にかかる回転警告灯の内部機構を省略した側面一部断面図である。また、図６は、本発明の第一の実施例にかかる回転警告灯の内部機構を省略した側面一部拡大断面図である。
【００１９】
なお、各図には、必要に応じて左右方向Ｘ、前後方向Ｙ及び垂直方向Ｚを図示している。回転警告灯１は、例えば着色樹脂で形成される透光性のグローブ２と、樹脂や金属材料等で形成されるケース３に接合や勘合等の手段で一体に結合されている。
【００２０】
ケース３で囲覆される空間には、反射鏡５を回動中心軸線８に沿って回転させるための駆動力を反射鏡５に伝達するための駆動手段６と、ＬＥＤ７が設けられた基板７１をケース３に固定するための支軸７２が設けられている。
【００２１】
グローブ２で囲覆される空間には、光源としてのＬＥＤ７からの照射光を受け、その照射光を反射する反射部材としての反射鏡５と、反射鏡５と一体的に形成された台座４が設けられている。
【００２２】
ＬＥＤ７は、水平方向に設けられた基板７１上に垂直方向上面側に光が放射されるように設置されている。ＬＥＤ７からの放射光のうち、ＬＥＤ７の最高輝度点を基準とし、その最高輝度の半値以上の光が照射される範囲が有効照射範囲であって、輝度半値幅Ｒで示される照射エリアが相当する。この有効照射範囲には反射鏡５が設けられている。なお、ＬＥＤ７からの照射範囲を変更するための拡散または集光レンズと共に使用してもよい。
【００２３】
支軸７２は、基板７１を水平に保持しており、ケース３に直接固定されており、駆動手段６からの駆動力を受けない。
【００２４】
反射鏡５は、ＬＥＤ７からの照射を受ける側の面を光が反射できる面であって、例えば真空アルミ蒸着等が施されており、第１の反射部材としての第１反射鏡５１と、第２の反射部材としての第２反射鏡５２より構成される。第１反射鏡５１と第２反射鏡５２の開口方向は同一方向で、略半椀形状ある。
【００２５】
第１反射鏡５１は回転放物面であって、その焦点位置の一つにＬＥＤ７を設けており、垂直方向Ｚと直交する方向がその回転放物面の長軸方向である。第２反射鏡５２は、第１反射鏡５１と同様、回転放物面であって、その焦点位置の一つにＬＥＤ７を設けており、垂直方向Ｚと直交する方向がその回転放物面の長軸方向である。また、第１反射鏡５１、第２反射鏡５２からなる反射鏡５は台座４と一体的に形成されている。
【００２６】
第１反射鏡５１と第２反射鏡５２は、ＬＥＤ７の有効照射範囲を覆うように設けられており、点光源であるＬＥＤ７からの放射光を第１反射鏡５１および第２反射鏡５２の回転放物面で反射することにより、看者に面光源として視認させる。
【００２７】
第１反射鏡５１は、ＬＥＤ７から前方側に放射された光を集光し、前方に反射させる。一方、第２反射鏡５２は、ＬＥＤ７から後方側に放射された光を集光し、前方に反射させる。有効照射範囲内のＬＥＤ７の放射光が第２反射鏡５２に照射された場合、その反射光は直接グローブ２に照射される。つまり、その反射光は第１反射鏡５１によって遮られることなく、グローブ２を通じて直接回転警告灯１の外部に向けて照射される。
【００２８】
駆動手段６は、モーター６１、ギヤ６２、およびローター６３からなる。モーター６１は、給電手段（非図示）からの電力供給を受け、回動中心軸線８と平行な軸を中心に、モータ６１の先端に設けられたピニオンギヤを回転させ、その回転力をギヤ６２に伝達する。
【００２９】
ギヤ６２は、ローター６３と一体的に形成されており、その回動中心軸を回転警告灯１の回動中心軸線８と同一にしている。ギヤ６２はモーター６１の回転力の伝達を受けて、回動中心軸線８を中心に水平方向に回転する。
【００３０】
ローター６３は、台座４の底部内面に接しており、ギヤ６２から伝達された回転力を台座４、および台座４と一体形成された反射鏡５に伝達する。ローター６３と基板７１は直接的に接しておらず、ローター６３が回動中心軸線８を中心に回転しても、基板７１は回転しない。なお、第１の実施例では、駆動手段６をモーター６１、ギヤ６２、ローター６３を組み合わせ使用することで、台座４及び反射鏡５に回転力を伝達したが、台座４及び反射鏡５に直接回転力を伝達するモーターを採用してもよい。
【００３１】
台座４は、中心付近を空洞とした逆さシャーレ形状をしており、その設置状態下側内面でローター６３からの駆動力の伝達を受ける。また、反射鏡５と同様のアルミ蒸着処理等の鏡面処理がされている。
【００３２】
次に、図６を用いて、第１の実施例に係る回転警告灯において、ＬＥＤ７から照射される光Ｌの反射鏡５等への照射状態を説明する。
【００３３】
ＬＥＤ７から反射鏡５に照射される光Ｌのうち、照射光Ｌ１は、後方側に向けて照射される輝度半値幅付近の光であって、照射光Ｌ３は、前方側に向けて照射される輝度半値幅Ｒ付近の光である。照射光Ｌ４は、ＬＥＤ７から第１反射鏡５１に直接される照射光Ｌのうち、最後部付近に照射される光であって、照射光Ｌ２は、ＬＥＤ７から第２反射鏡５２に直接照射される照射光Ｌのうち、最前部付近に照射される光である。反射鏡５に直接照射される照射光Ｌ１乃至Ｌ４の反射光は各々反射光ＬＲ１乃至ＬＲ４であって、その反射方向は前方且つ略水平方向である。
【００３４】
ＬＥＤ７から照射される照射光Ｌ１は、第２反射鏡５２で前方側に反射され、第１反射鏡５１の背面（後方側）に照射されず、その上部を通過する。また、照射光Ｌ２も照射光Ｌ１と同様、第１反射鏡５１の背面（後方側）に照射されず、その上部を通過する。つまり、ＬＥＤ７から後方側に向かって照射され、第２反射鏡５２に照射されるＬＥＤ７の輝度半値幅Ｒ内の光は、第２反射鏡５２で反射された後、第１反射鏡５１に邪魔されずにグローブ２を通じて直接周囲に照射される。ＬＥＤ７から照射された光Ｌ３及び光Ｌ４は、第１反射鏡５１で前方側に反射され、グローブ２を通じて直接周囲に照射される。
【００３５】
次に、本発明の第二の実施形態を、添付図面を参照して詳細に説明する。図７は、本発明の第二の実施例を示す回転警告灯の右側面図、図８は本発明の第二の実施例にかかる回転警告灯の内部機構を省略した側面一部断面図である。また、図９は本発明の第二の実施例に係る回転警告灯の内部機構を省略した側面一部拡大断面図である。
【００３６】
反射鏡５は、ＬＥＤ７からの照射を受ける側の面を光が反射できる面であって、第１反射鏡５１、第２反射鏡５２と第３反射鏡５３より構成される。第１反射鏡５１と第２反射鏡５２の開口方向は同一方向である。
【００３７】
第１反射鏡５１は回転放物面であって、その焦点位置の一つにＬＥＤ７を設けており、垂直方向Ｚと直交する方向がその回転放物面の長軸方向である。第２反射鏡５２は、第１反射鏡５１と同様、回転放物面であって、その焦点位置の一つにＬＥＤ７を設けており、垂直方向Ｚと直交する方向がその回転放物面の長軸方向である。第３反射鏡５３は、第２反射鏡５２の上方部分より延設された箇所に設けられており、第１反射鏡及び第２反射鏡のように回転放物面であって、その焦点位置の一つにＬＥＤ７を設けている。その第３反射鏡の回転放物面の長軸方向は第１及び第２の長軸方向とは異ってもよく、例えば、前方下方から後方上方に向かった軸に沿ったものとしてもよい。
【００３８】
第１反射鏡５１と第２反射鏡５２及び第３反射鏡５３は、ＬＥＤ７の輝度半値幅Ｒの照射エリアを覆うように設けられており、点光源であるＬＥＤ７からの照射光を第１反射鏡５１および第２反射鏡５２の回転放物面で反射することにより、看者に面光源として視認させる。
【００３９】
第１反射鏡５１は、ＬＥＤ７から前方側に照射された光を集光し、前方に反射させる。一方、第２反射鏡５２は、ＬＥＤ７から後方側に照射された光を集光し、前方に反射させる。第３反射鏡５３は、ＬＥＤ７の有効照射範囲内の光のうち、第１反射鏡５１及び第２反射鏡５２に照射されない光を例えば前方下方に向けて反射させる。つまり、ＬＥＤ７の有効照射範囲内の光は、第１乃至第３の反射鏡を介して、第１反射鏡５１及び第２反射鏡の長軸方向である前方、と第３反射鏡５３の長軸方向である前方下方の２方向に向かって反射される。
【００４０】
次に、図９を用いて、第２の実施例に係る回転警告灯において、ＬＥＤ７から放射される光Ｌの反射鏡５などへの照射状態を説明する。
【００４１】
ＬＥＤ７からの照射光のうち、照射光Ｌ５及び照射光Ｌ６は略上方に向かって照射される光であって、第３反射鏡５３の内面後方側及び内面前方側に照射される光である。照射光Ｌ５及びＬ６は、第３反射鏡５３で反射され、照射光ＬＲ５及びＬＲ６として第３反射鏡の長軸方向に反射され、第１反射鏡５１に遮られることなくグローブ２を通じてグローブ２外に照射される。
【００４２】
ＬＥＤ７からの照射光のうち、第２反射鏡５２で反射される光ＬＲ２は、第３反射鏡５３に遮られることなくグローブ２を通じてグローブ２外に照射される。つまり、第３反射鏡５３の前方側最下端部は、第２反射鏡５２の最上部よりも高い箇所に位置する。また、光ＬＲ１が第１反射鏡５１で遮られないことより、第１反射鏡の最上部は、光Ｌ１が第２反射鏡５２に照射される位置より低い箇所に位置する。
【００４３】
かかる構成によれば、回転放物面反射鏡５を利用することで筐体を大きくすることなく、且つ一つの光源を大きく見せることができるため視認性を向上することができる。また、第３反射鏡５３を用いることで、前方方向の視認性を確保しつつ、前方下方などに光を照射することができるため、看者の注意喚起により貢献することができる。
【００４４】
第１反射鏡５１、第２反射鏡５２および第３反射鏡５３は、各々１つの回転放物面で形成されたものについて説明したが、同じ長軸を持つ複数の回転放物面の集合体であってもよい。また第３反射鏡５３の長軸は、第１反射鏡５１及び第２反射鏡５２の長軸と異なるものについて説明したが、同じであってもよく、さらに開口方向が後方であってもよい。
【図面の簡単な説明】
【００４５】
【図１】本発明の第一の実施例を示す回転警告灯の斜視図である。
【図２】上記回転警告灯の右側面図である。
【図３】上記回転警告灯の平面図である。
【図４】上記回転警告灯の正面図である。
【図５】上記回転警告灯の内部機構を省略した側面一部断面図である。
【図６】上記回転警告灯の内部機構を省略した側面一部拡大断面図である。
【図７】本発明の第二の実施例を示す回転警告灯の斜視図である。
【図８】上記回転警告灯の内部機構を省略した側面一部断面図である。
【図９】上記回転警告灯の内部機構を省略した側面一部拡大断面図である。
【符号の説明】
【００４６】
１          回転警告灯
２          グローブ
５          反射鏡
５１        第１反射鏡
５２        第２反射鏡
５３        第３反射鏡
６          駆動手段
７          ＬＥＤ
Ｒ          輝度半値幅
【図１】
2007294271.tif 000003
【図２】
2007294271.tif 000004
【図３】
2007294271.tif 000005
【図４】
2007294271.tif 000006
【図５】
2007294271.tif 000007
【図６】
2007294271.tif 000008
【図７】
2007294271.tif 000009
【図８】
2007294271.tif 000010
【図９】
2007294271.tif 000011